(57)【要約】  本発明は、要素（１２）を保管するためのデバイス（２２）に関する。各要素（１２）は、第１の無線通信ユニットを備え、デバイス（２２）は、少なくとも２つの引き出しユニット（３０）を備え、各引き出しユニットは、  要素（１２）を受けるための少なくとも１つの位置を画定する底部を備える、引き出しと、  各位置ごとの、放射帯場を有するアンテナを備える少なくとも１つの第２の無線通信ユニットであって、各アンテナは、前記アンテナが作動される第１の状態および前記アンテナが作動停止される第２の状態を備える、少なくとも１つの第２の無線通信ユニットと、  制御法則にしたがって各第２の通信ユニットのアンテナの作動および作動停止を命ずることが可能である、データ処理ユニットとを備える。
2019536714.tif 000002
【特許請求の範囲】
【請求項１】
要素（１２）を保管するためのデバイス（２２）であって、各要素（１２）は、前記要素（１２）に関する情報が格納される第１の無線通信ユニット（１４）を備え、前記デバイス（２２）は、垂直方向スタック（３８）を形成するように相互の上に組み付けられた少なくとも２つの引き出しユニット（３０）を備え、各引き出しユニット（３０）は、
ハウジング（４５）を備える支持体（４０）と、
前記支持体（４０）の前記ハウジング（４５）内に位置決めされ、前記支持体（４０）に対して摺動可能である引き出し（４２）であって、要素（１２）を受けるための少なくとも１つの位置（５８）を画定する底部（５６）を備える、引き出し（４２）と、
各位置（５８）ごとの、電波を発することが可能な少なくとも１つの第２の無線通信ユニット（４４）であって、各第２の通信ユニット（４４）は、対応する位置（５８）の対向側に配置され、第１の通信ユニット（１４）のセットと通信を行うのに適したものであり、放射帯場を有する少なくとも１つのアンテナを備え、各アンテナの前記放射帯場は、少なくとも、
前記アンテナの前記第２の通信ユニット（４４）の対向側の前記位置（５８）、および、
前記アンテナの前記第２の通信ユニット（４４）の対向側の前記位置（５８）に隣接する少なくとも１つの位置（５８）
を対応範囲に含み、各アンテナは、前記アンテナが作動される第１の状態および前記アンテナが作動停止される第２の状態をさらに備える、第２の無線通信ユニット（４４）と、
各第２の通信ユニット（４４）に対して接続されたデータ処理ユニット（３３）であって、前記アンテナの前記第２の通信ユニット（４４）の対向側の前記位置（５８）が要素（１２）により占有されているか否かを、および該当する場合には前記要素（１２）に関する情報を判定するために、制御法則にしたがって各第２の通信ユニット（４４）の前記アンテナの作動および作動停止を命ずることが可能である、データ処理ユニット（３３）と、
を備える、デバイス。
【請求項２】
位置（５８）に対応する各第２の通信ユニット（４４）ごとに、前記制御法則は、各第２の通信ユニット（４４）の前記アンテナが前記アンテナに隣接するアンテナの時間間隔とは異なる時間間隔で作動されるように、前記第２の通信ユニット（４４）の前記アンテナの作動と前記アンテナに隣接するアンテナの作動停止とを並行的に命ずるように選択される、請求項１に記載のデバイス（２２）。
【請求項３】
前記データ処理ユニット（３３）は、アンテナのセットにより通信された情報に基づき、各アンテナにより収集された情報に対応する位置（５８）を判定することが可能である、請求項２に記載のデバイス（２２）。
【請求項４】
各引き出し（４２）の前記底部（５６）は、前記第２の通信ユニット（４４）により発せられる電波が横断し得る材料から作製される、請求項１から３のいずれか一項に記載のデバイス（２２）。
【請求項５】
各第２の通信ユニット（４４）は、前記対応する位置（５８）の上方に配置される、請求項１から４のいずれか一項に記載のデバイス（２２）。
【請求項６】
各第２の通信ユニット（４４）は、前記対応する位置（５８）の前記引き出し（４２）の前記底部（５６）の下方に配置される、請求項１から４のいずれか一項に記載のデバイス（２２）。
【請求項７】
各引き出しユニット（３０）は、各引き出しユニット（３０）の前記引き出し（４２）の前記底部（５６）の下方、かつ前記引き出しユニット（３０）の前記引き出し（４２）の前記底部（５６）の前記位置（５８）に対応する前記第２の通信ユニット（４４）の下方に位置決めされたプレートを備え、各プレートは、すべての前記第２の通信ユニット（４４）により発せられた電波の通過を防止することが可能である、請求項６に記載のデバイス（２２）。
【請求項８】
各第１の通信ユニット（１４）は、無線ＩＣタグであり、各第２の通信ユニット（４４）は、無線ＩＣリーダである、請求項１から７のいずれか一項に記載のデバイス（２２）。
【請求項９】
内方コンパートメント（２４）を備える筐体（２０）と、
請求項１から８のいずれか一項に記載のデバイス（２２）であって、前記筐体（２０）の前記内方コンパートメント（２４）内に配置されるデバイス（２２）と
を備える、設備（１０）。
【請求項１０】
前記要素（１２）は、血小板容器であり、前記筐体（２０）は、血小板攪拌機である、請求項９に記載の設備（１０）。
【発明の詳細な説明】
【技術分野】
【０００１】
本発明は、要素を保管するためのデバイスに関する。
【０００２】
さらに、本発明は、かかる保管デバイスを備える設備に関する。
【０００３】
これらの要素は、例えば、血液製剤などの生物学的製品を収容するパウチ（一次血液パウチ、血漿パウチ、血小板パウチ、赤血球パウチ、等）、細胞工学製品（幹細胞、等）を収容するパウチ、または化学療法パウチなどの薬品パウチである。
【背景技術】
【０００４】
パウチが挿入される引き出しから構成された冷蔵構造体内にかかるパウチを保管することが知られている。一般的には、かかる構造体内に挿入されるパウチは、対応するパウチに関する情報が格納されたＲＦＩＤ（無線ＩＣ）タグなどの識別タグを備える。さらに、少なくとも１つのアンテナを備えるＲＦＩＤリーダなどのリーダが、パウチのタグ中に含まれる情報を読み取るおよび更新するために各引き出しの前記パウチが配置された位置の対向側に配置される。
【０００５】
しかし、各ＲＦＩＤリーダのアンテナにより発せられる波同士の間に干渉が生じる場合があり、これは、識別タグに格納された情報の読取りを困難にし、したがって対応する要素の状態の確認を困難にする。
【発明の概要】
【発明が解決しようとする課題】
【０００６】
したがって、要素の状態を確実に確認することを可能にする、前記要素を保管するためのデバイスが必要である。
【課題を解決するための手段】
【０００７】
これを目的として、本発明は、要素を保管するためのデバイスであって、各要素が前記要素に関する情報が格納される第１の無線通信ユニットを備え、デバイスが垂直方向スタックを形成するように相互の上に組み付けられた少なくとも２つの引き出しユニットを備える、デバイスに関する。各引き出しユニットは、
ハウジングを備える支持体と、
支持体のハウジング内に位置決めされ、支持体に対して摺動可能である引き出しであって、要素を受けるための少なくとも１つの位置を画定する底部を備える、引き出しと、
各位置ごとの、電波を発することが可能な少なくとも１つの第２の無線通信ユニットであって、各第２の通信ユニットが、対応する位置の対向側に配置され、第１の通信ユニットのセットと通信を行うのに適したものであり、放射帯場を有する少なくとも１つのアンテナを備え、各アンテナの放射帯場が、少なくとも、
前記アンテナの第２の通信ユニットの対向側の位置、および
前記アンテナの第２の通信ユニットの対向側の前記位置に隣接する少なくとも１つの位置
を対応範囲に含み、各アンテナが、前記アンテナが作動される第１の状態および前記アンテナが作動停止される第２の状態をさらに備える、第２の無線通信ユニットと、
各第２の通信ユニットに対して接続されたデータ処理ユニットであって、前記アンテナの第２の通信ユニットの対向側の位置が要素により占有されているか否かを、および該当する場合には前記要素に関する情報を判定するために、制御法則にしたがって各第２の通信ユニットのアンテナの作動および作動停止を命ずることが可能である、データ処理ユニットと
を備える。
【０００８】
特定の実施形態によれば、デバイスは、単独でまたは任意の技術的に可能な組み合わせによって考えられる以下の特徴の中の１つまたは複数を備える。
位置に対応する各第２の通信ユニットごとに、制御法則は、各第２の通信ユニットのアンテナが前記アンテナに隣接するアンテナの時間間隔とは異なる時間間隔で作動されるように、前記第２の通信ユニットのアンテナの作動と前記アンテナに隣接するアンテナの作動停止とを並行的に命ずるように選択される。
処理ユニットは、アンテナのセットにより通信された情報に基づき、各アンテナにより収集された情報に対応する位置を判定することが可能である。
各引き出しの底部は、第２の通信ユニットにより発せられる電波が横断し得る材料から作製される。
各第２の通信ユニットは、対応する位置の上方に配置される。
各第２の通信ユニットは、対応する位置の引き出しの底部の下方に配置される。
各引き出しユニットは、各引き出しユニットの引き出しの底部の下方、かつ前記引き出しユニットの引き出しの底部の位置に対応する第２の通信ユニットの下方に位置決めされたプレートを備え、各プレートは、すべての第２の通信ユニットにより発せられた電波の通過を防止することが可能である。
各第１の通信ユニットは、無線ＩＣタグであり、各第２の通信ユニットは、無線ＩＣリーダである。
【０００９】
また、本発明は、
内方コンパートメントを備える筐体と、
上述のようなデバイスであって、筐体の内方コンパートメント内に配置されるデバイスと
を備える、設備に関する。
【００１０】
特定の実施形態によれば、設備は、単独でまたは任意の技術的に可能な組み合わせによって考えられる以下の特徴の中の１つまたは複数を備える。
要素は、血小板容器であり、筐体は、血小板攪拌機である。
【００１１】
本発明の他の特徴および利点が、もっぱら一例としてのおよび図面を参照として実施される本発明の実施形態の以下の説明を読むことにより明らかになろう。
【図面の簡単な説明】
【００１２】
【図１】保管デバイスを備える設備の概略斜視図である。
【図２】図１の保管デバイスの概略斜視図である。
【図３】図１の保管デバイスの複数の引き出しユニットの概略図である。
【図４】図１のデバイス内に保管されるように意図された要素の概略図である。
【発明を実施するための形態】
【００１３】
要素１２を保管するための設備１０が、図１に示される。
【００１４】
要素１２は、例えば容器である（図２に図示）。一般的には、容器は、厳格な保管制約下において使用される製品を収容するように意図された任意のタイプのパウチに該当する。
【００１５】
さらに具体的には、要素１２は、例えば、血液製剤などの生物学的製品を収容するパウチ（一次血液パウチ、血漿パウチ、血小板パウチ、赤血球パウチ、等）、または細胞工学製品（ヒトもしくは動物の細胞、特にヒトもしくは動物の幹細胞、ヒトもしくは動物の細胞由来の製品）を収容するパウチである。
【００１６】
代替的には、要素１２は、化学療法パウチ（一般的に溶質および１つまたは複数の化学療法有効成分を含む）などの、１つまたは複数の有効成分または有効薬物を含む薬品パウチまたは治療調合製剤パウチである。
【００１７】
より一般的には、要素１２は、ヒトまたは動物に注入されるように設計された任意の製品を含むことが可能である。
【００１８】
図４に示すように、各要素１２は、第１の無線通信ユニット１４を備える。各第１の通信ユニット１４は、例えば要素１２の外面上に固着された接着タグなどのタグである。
【００１９】
一般的には、各第１の通信ユニット１４は、少なくともアンテナ、メモリ、および任意にはマイクロプロセッサを備える。
【００２０】
各第１の通信ユニット１４のアンテナは、例えば高周波アンテナである。
【００２１】
各第１の通信ユニット１４のメモリは、対応する要素１２に関する情報を備える。
【００２２】
例えば、かかる情報は、要素１２の固有識別子、要素１２の保管データ、要素１２の有効期限、要素１２の第１の通信ユニット１４が最後に情報通信を行った日時、要素１２の内容物に関する提供番号、要素１２の内容物の製品コード、要素１２の内容物のＲｈ型、要素１２の内容物の血液表現型、要素１２の内容物の取得源である患者の情報、要素１２の内容物の取得源である患者の氏名、要素１２の内容物の容量、要素１２の内容物が取得された提供センタ（住所を含む）、要素１２に関して進行中のプロセス、および要素１２の内容物の抗凝血剤タイプである。化学療法の場合に、かかる情報は、製造日、製品タイプ、賦形剤タイプ、処方医師情報、薬剤師情報、製造業者情報、発売日、およびステータス（発売、供給、等）をさらに含む。
【００２３】
設備１０は、筐体２０および保管デバイス２２を備える。
【００２４】
筐体２０は、保管デバイス２２を受ける内方コンパートメント２４を備える。
【００２５】
筐体２０は、例えば冷蔵筐体または冷凍庫である。冷蔵筐体が冷蔵庫である場合には、筐体の温度は、摂氏０度（℃）〜５度の間からなり、好ましくは摂氏４度に相当する。冷蔵筐体が冷凍庫である場合には、筐体の温度は、−３５℃〜−１９６℃の間からなり、好ましくは−４０℃に相当する。
【００２６】
代替的には、筐体２０は、血小板攪拌機である。この場合に、好ましくは筐体２０は、好ましくは２４℃に相当する温度を有するインキュベータに組み込まれる。
【００２７】
以降において、相対位置は、底部が画定された筐体２０の一般的な使用方向に関して定義され、一般的にこの底部は床上に載置され、底部の対向側に頂部が位置する。これらの相対位置は、具体的には「下方」または「上方」などの用語により示される。
【００２８】
デバイス２２は、複数の引き出しユニット３０およびベース３２を備える。図２に示すように、デバイス２２は、処理ユニット３３をさらに備える。
【００２９】
以降で述べるように、引き出しユニット３０は、引き出しユニット３０の垂直方向スタック３８を形成するように相互に積み重ねられる。図１〜図３は、１０個の引き出しユニット３０のスタックの一例を示す。
【００３０】
各引き出しユニット３０は、図２に示す支持体４０、引き出し４２、および少なくとも１つの第２の通信ユニット４４を備える。
【００３１】
支持体４０は、ハウジング４５、上方端部４６、下方端部４８（図３に図示）、および接続部４９（図２に図示）を備える。
【００３２】
各ハウジング４５は、対応する引き出し４２を受けることが可能である。
【００３３】
図３に示す各引き出しユニット３０の上方端部４６は、少なくとも第１の組立部材５１を備える。第１の組立部材５１は、例えば雌型組立部材である。
【００３４】
図３に示す各引き出しユニット３０の下方端部４８は、第１の組立部材５１と相補的である少なくとも第２の組立部材５２を備える。第２の組立部材５２は、例えば雄型組立部材である。
【００３５】
図３に示す例では、第１の組立部材５１は、スロットであり、第２の組立部材５２は、スロットに対して相補的であるリブである。
【００３６】
したがって、各引き出しユニット３０は、前記引き出しユニット３０の第１の組立部材５１によりおよび／または前記引き出しユニット３０の第２の組立部材５２によりスタック３８の少なくとも１つの他の引き出しユニット３０に対して組み付けられる。
【００３７】
接続部４９は、例えば電気接続部である。
【００３８】
図１〜図３に示す実施形態では、各引き出しユニット３０の接続部４９は、一方においては前記引き出しユニット３０の第２の通信ユニット４４に対して接続され、他方においては他の引き出しユニット３０の第２の通信ユニット４４に対して接続される。さらに、接続部４９は、処理ユニット３３に対して接続される。
【００３９】
各引き出し４２は、支持体４０のハウジング４５内に位置決めされる。各ハウジング４５は、対応する支持体４０に対して摺動することが可能である。
【００４０】
各引き出し４２は、要素１２を受けるための少なくとも１つの位置５８を画定する底部５６を備える。
【００４１】
各引き出し４２の底部５６は、前記引き出し４２の引き出しユニット３０の第２の通信ユニット４４により発せられた電波が横断し得る材料から作製される。
【００４２】
各引き出し４２の底部５６の材料は、例えばプラスチックである。
【００４３】
図１〜図３に示す実施形態では、各引き出し４２の底部５６は、要素１２を受けるための１２個の位置５８を画定する。
【００４４】
各位置５８は、例えば小仕切り６０を形成するリム５９により画定される。
【００４５】
図１〜図３に示す実施形態では、各引き出しユニット３０は、位置５８と同数の第２の通信ユニット４４を備える。
【００４６】
図１〜図３に示す実施形態では、各第２の通信ユニット４４は、対応する位置５８の対向側の引き出し４２の底部５６の下方に配置され、それにより前記第２の通信ユニット４４と前記位置５８内に受けられた要素１２の第１の通信ユニット１４との間の通信が可能となる。
【００４７】
「の対向側の」という表現は、各第２の通信ユニット４４が位置５８により画定される空間に対面する位置に配置されることを指す。換言すれば、第２の通信ユニット４４の平面内に位置５８を投影したものが、第２の通信ユニット４４に結び付けられる。
【００４８】
代替的には、少なくとも１つの第２の通信ユニット４４が、対応する位置５８の上方に配置される。
【００４９】
各第２の通信ユニット４４は、該当する場合には、要素１２に関する情報を取得するために前記位置５８に受けられた要素１２の第１の通信ユニット１４と通信することが可能である。
【００５０】
各第２の通信ユニット４４は、電波を発することが可能である。各第２の通信ユニット４４は、第１の通信ユニット１４のセットとの通信に適したものである。
【００５１】
一例の実施形態では、第１の通信ユニット１４は、ＲＦＩＤタグであり、第２の通信ユニット４４は、ＲＦＩＤリーダである。
【００５２】
さらに一般的には、各第２の通信ユニット４４は、少なくともアンテナ、メモリ、および任意にはマイクロプロセッサを備える。
【００５３】
各アンテナの放射帯場は、少なくとも
前記アンテナの第２の通信ユニット４４の対向側の位置５８と、
前記アンテナの第２の通信ユニットの対向側の前記位置５８に隣接する少なくとも１つの位置５８と
を対応範囲に含む。
【００５４】
さらに具体的には、各アンテナの放射帯場は、アンテナの磁場の強度および形態に基づきアンテナ付近の位置５８を対応範囲に含む。
【００５５】
各アンテナは、２つの状態を、すなわち前記アンテナが作動される第１の状態と、アンテナが作動停止される第２の状態とをさらに備える。作動されたアンテナは、所定のインピーダンスおよび所定の周波数で共振することが可能なアンテナである。所定のインピーダンスは、例えば５０オーム（Ω）に相当し、所定の周波数は、例えば１３．５６メガヘルツ（ＭＨｚ）に相当する。したがって、作動されたアンテナの共振周波数は、前記アンテナの作動周波数に近いものとなる。作動停止されたアンテナは、所定の周波数にて共振することが不可能なアンテナである。アンテナの作動停止は、例えば前記アンテナのループを開くか、またはその共振周波数における前記アンテナのインピーダンスが前記アンテナの虚数（または無効）成分よりもはるかに低い実数（または抵抗）成分を有するようにアンテナを離調することによって実施される。
【００５６】
図１〜図３に示す実施形態では、各第２の通信ユニット４４が、対応する引き出しユニット３０の引き出し４２に対して固定される。さらに具体的には、各第２の通信ユニット４４が、対応する位置５８の引き出し４２の底部５６の下方に固定される。
【００５７】
一代替形態では、各第２の通信ユニット４４が、対応する引き出しユニット３０の支持体４０に対して固定される。各引き出しユニット３０は、サテライトをさらに備える。サテライトは、第２の通信ユニット４４を収容するケースである。サテライトは、前記引き出しユニット３０の引き出し４２の直下において前記引き出しユニット３０の支持体４０に対して固定される。引き出し４２が閉じられた場合に、前記第２の通信ユニット４４は、対応する位置５８の対向側に位置し、したがって該当する場合には対応する位置５８内に位置決めされた第１の通信ユニット１４との通信が可能となる。引き出し４２が開状態にある場合には、前記第２の通信ユニット４４は、引き出し４２と共には移動されず、結果として対応する位置５８に位置決めされた第１の通信ユニット１４との通信が不可能となる。
【００５８】
また、任意には、各引き出しユニット３０が、プレートを備える。
【００５９】
各プレートが、すべての第２の通信ユニット４４から発せられる電波の通過を防止し得る。各プレートは、例えば金属から作製される。
【００６０】
各プレートが、各引き出しユニット３０の引き出し４２の底部５６の下方、かつ前記引き出しユニット３０の引き出し４２の底部５６に位置する位置５８に対応する第２の通信ユニット４４の下方に位置決めされる。したがって、各第２の通信ユニット４４は、前記第２の通信ユニット４４の上方に位置決めされた第１の通信ユニット１４のみとの通信に適したものとなる。
【００６１】
ベース３２は、引き出しユニット３０のスタック３８の最下引き出しユニット３０と組み立てられる。これを目的として、ベース３２は、少なくとも第３の組立部材を備える上方端部６２を備える。各第３の組立部材が、第１の組立部材５１と同一である。スタック３８の最後の引き出しユニット３０の第２の組立部材５２は、ベース３２の第３の組立部材と組み合わされ、それによりスタック３８を閉じることが可能となる。
【００６２】
処理ユニット３３は、各第２の通信ユニット４４に対して接続される。
【００６３】
処理ユニット３３は、２つの通信ユニット４４からの情報を処理することが可能である。具体的には、データ処理ユニット３３は、前記アンテナの第２の通信ユニット４４の対向側の位置が要素１２により占有されているか否かを、および該当する場合には前記要素１２に関する情報を判定するために、制御法則にしたがって各第２の通信ユニット４４のアンテナの作動および作動停止を命ずることが可能である。
【００６４】
さらに具体的には、位置５８に対応する各第２の通信ユニット４４ごとに、制御法則は、各第２の通信ユニット４４のアンテナが前記アンテナに隣接するアンテナの時間間隔とは異なる時間間隔で作動されるように、前記第２の通信ユニット４４のアンテナの作動と、前記アンテナに隣接するもしくは前記アンテナの対向側に位置する、すなわちより一般的には前記アンテナの付近に位置するアンテナの作動停止とを並行的に命ずるように選択される。
【００６５】
制御法則は、各第２の通信ユニット４４が、前記第２の通信ユニット４４に隣接する第２の通信ユニット４４のアンテナにより発せられる波と干渉することなく、対応する位置５８に位置決めされた任意の第１の通信ユニット１４との通信を行うことを可能にするのに適したものである。したがって、各第２の通信ユニット４４のアンテナは、前記第２の通信ユニット４４に隣接する第２の通信ユニット４４に基づき確立された時間間隔で作動および作動停止される。
【００６６】
制御法則は、各第２の通信ユニット４４のアンテナの位置と前記アンテナの放射帯場とに応じて決定される。
【００６７】
例えば、各アンテナの放射帯場が、そのアンテナの対向側の位置５８と、前記位置５８に隣接する（横に、上方に、下方に、および対角線方向に）位置５８とを対応範囲に含むことが推定される。干渉を伴わずに所与の第２の通信ユニット４４の干渉を確保するために、制御法則は、前記第２の通信ユニット４４に隣接する位置の対向側の第２の通信ユニット４４のアンテナの既定の持続期間にわたる作動停止と、前記第２の通信ユニット４４のアンテナの作動とを命じる。同命令は、他の第２の通信ユニット４４に対して異なる時間間隔で繰り返される。
【００６８】
別の例では、制御法則は、アンテナのセットの作動停止と、種々の時間間隔での各アンテナの１つずつの作動とを命ずる。さらに別の例では、制御法則は、相互に対向側に位置しないアンテナを選択することにより引き出しユニット３０ごとに１つのみのアンテナの作動と、すべての他のアンテナの作動停止とを命ずる。
【００６９】
処理ユニット３３は、アンテナのセットにより通信された情報に基づき、各アンテナにより収集された情報に対応する位置を決定することがさらに可能である。
【００７０】
実際に、各アンテナの放射帯場が、前記アンテナに対応する位置５８に加えて少なくとも１つの他の隣接する位置５８を対応範囲に含むことにより、処理ユニットは、各アンテナにより収集された情報の出所を判定するように構成される。
【００７１】
例えば、アンテナが、引き出し４２の下方に配置されることと、各アンテナの放射帯場が、アンテナの対向側の（したがってアンテナの上方の）位置５８およびアンテナに隣接しアンテナの底部にて引き出し４２内に位置する（したがってアンテナの下方の）位置５８を対応範囲に含むこととが推定される。処理ユニット３３は、隣接し合うアンテナにより収集された情報を比較することと、それにより各アンテナの対向側の位置に対応する情報を判定することとが可能である。この例では、第１の位置５８の対向側の第１のアンテナは、第１の信号Ａおよび第２の信号Ｂを検出し、第１のアンテナの直下の第２の隣接するアンテナが、第２の信号Ｂおよび第３の信号Ｃを検出するものと推定する。処理ユニット３３は、第１のアンテナおよび第２のアンテナのそれぞれにより検出された第２の信号Ｂが、第１の位置に位置決めされた要素１２の第１の通信ユニット１４から来ていることを判定する。処理ユニット３３は、第１の信号Ａが、第１の位置５８に隣接するおよびその直上に位置する位置５８に位置決めされた要素１２の第１の通信ユニット１４から来ていることをさらに判定する。また、処理ユニット３３は、第３の信号Ｃが、第１の位置５８に隣接するおよびその直下に位置する位置５８に位置決めされた要素１２の第１の通信ユニット１４から来ていることを判定する。
【００７２】
一般的に、制御法則は、処理ユニット３３が、各アンテナにより収集された情報に対応する位置５８を確実に判定するように選択される。
【００７３】
オプションの追加事項として、処理ユニット３３は、各アンテナから発せられているＲＳＳＩ（帰還信号強度）と呼ばれる信号の強度の根拠を示すことが可能である。実際に、アンテナが第１の通信ユニットに対してより近い程、ＲＳＳＩはより良好になる、すなわちＲＳＳＩは高くなる。例えば、０〜７のＲＳＳＩに関して、「７」は、アンテナが第１の通信ユニットに対して可能な限り近くに位置することを意味し、「０」は、アンテナがいかなる信号も検出していないことを意味する。
【００７４】
例えば、デバイス２２が６個の引き出しユニット３０、５個のアンテナ、および第３の引き出しユニット３０内に位置決めされた１個の第１の通信ユニット１４を備える場合には、ＲＳＳＩは、｛３、６、７、２、０｝であり得る。
【００７５】
例えば、第１の通信ユニット１４を見つけるために、処理ユニット３３は、前記第１の通信ユニット１４が最高のＲＳＳＩを有する２つのアンテナの間に位置することを考慮し得る。代替的には、処理ユニット３３は、取得されたＲＳＳＩに基づき加重平均計算またはｋ平均計算を実施することにより前記第１の通信ユニット１４を判定し得る。
【００７６】
最後に、処理ユニット３３は、各位置５８の占有状態と、該当する場合には前記情報から前記位置５８に位置決めされた要素１２の状態とを判定し得る。
【００７７】
例えば、２つの判定される状態、すなわち「有効」状態および「無効」状態が存在する。要素１２は、要素１２に関する情報が仕様に従ったものである場合に「有効」と見なされ、他の場合には「無効」と見なされる。
【００７８】
したがって、処理ユニット３３は、保管デバイス２２の瞬間画像、すなわちどの要素１２がどの位置５８に位置するかと、前記要素１２のそれぞれに関する情報とを有する。また、処理ユニット３３は、デバイス２２に関する各要素１２の入庫日および出庫日のログを備える。
【００７９】
任意には、処理ユニット３３は、該当する場合には、第１の通信ユニット１４に含まれる情報の第２の通信ユニット４４による更新を逐次行うことが可能である。
【００８０】
任意には、処理ユニット３３は、各位置５８の占有状態と、該当する場合には前記位置５８に対応する要素１２の状態とに基づき警告を発することが可能である。例えば、処理ユニット３３が、同一の位置５８が２つ以上の要素１２を備えると判定した場合には、処理ユニット３３は、警告を発する。
【００８１】
次に、設備１０に組み込まれたデバイス２２の動作を説明する。
【００８２】
処理ユニット３３は、制御法則にしたがって各第２の通信ユニット４４のアンテナの作動および作動停止を命ずる。これにより、各第２の通信ユニット４４のアンテナは、該当する場合には対応する位置５８の要素１２に関する情報を収集し得る。処理ユニット３３は、前記情報から、要素１２が占有する位置５８と、該当する場合には要素１２の状態とを判定する。場合に応じて、処理ユニット３３は、警告を作動させるかまたは警告を作動させない。
【００８３】
したがって、デバイス２２により、デバイス２２内に保管された要素１２の状態と、引き出しユニット３０の位置５８の占有率とを確実に確認することが可能となる。
【００８４】
具体的には、制御法則に基づくアンテナの作動および作動停止により、信号同士の間の干渉を軽減することが可能となり、これにより、第１の通信ユニット１４に格納された情報の読取りが改善される。
【００８５】
さらに、対応する引き出しの下方へのリーダのこの特定の位置決めによって、より低いバルク性を実現することが可能となる。
【００８６】
したがって、デバイス２２は、保管エリアを取り散らかすことなく要素１２の状態を確実に確認することを可能にする、要素を保管するためのデバイスとなる。
【００８７】
さらに、デバイス２２の引き出しユニット３０の組立および分解が容易になる。デバイス２２のかかるコンフィギュアビリティにより、スタック３８の引き出しユニット３０の個数を修正することによって、多数の設備１０に対してこのデバイス２２を適合させることが可能となる。
【００８８】
さらに、引き出しユニットのスタックが、複数の引き出しよりもはるかに軽量かつよりコンパクトになり、したがって操作および設置がより容易になる。
【００８９】
さらに、製造の観点から、それぞれ異なるフォーマットを有する大量のキャビネットよりも大量の同一の引き出しユニット３０が製造される。これにより、スケールメリットが達成され、在庫管理が簡素化され、メンテナンスが単純化され得る。
【００９０】
さらに、デバイスは、ＲＦＩＤ技術をまだ有さない設備１０に対しても適合可能である。
【００９１】
さらに、バルク性の低下により、設備１０がより多数の要素１２を収容する構成を考慮することが可能となる。
【００９２】
さらに、設備１０および／またはデバイス２２の製造が容易になる。
【００９３】
最後に、各引き出しユニット３０がサテライトを備える代替形態では、サテライトは、単体ユニットであり、したがって故障した場合の交換が容易となる。
【符号の説明】
【００９４】
１０  設備
１２  要素
１４  第１の無線通信ユニット
２０  筐体
２２  保管デバイス
２４  内方コンパートメント
３０  引き出しユニット
３２  ベース
３３  処理ユニット
３８  スタック
４０  支持体
４２  引き出し
４４  第２の通信ユニット
４５  ハウジング
４６  上方端部
４８  下方端部
４９  接続部
５１  第１の組立部材
５２  第２の組立部材
５６  底部
５８  位置
５９  リム
６０  小仕切り
６２  上方端部
【図１】
2019536714.tif 000003
【図２】
2019536714.tif 000004
【図３】
2019536714.tif 000005
【図４】
2019536714.tif 000006
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
要素（１２）を保管するためのデバイス（２２）であって、各要素（１２）は、前記要素（１２）に関する情報が格納される第１の無線通信ユニット（１４）を備え、前記デバイス（２２）は、垂直方向スタック（３８）を形成するように相互の上に組み付けられた少なくとも２つの引き出しユニット（３０）を備え、各引き出しユニット（３０）は、
ハウジング（４５）を備える支持体（４０）と、
前記支持体（４０）の前記ハウジング（４５）内に位置決めされ、前記支持体（４０）に対して摺動可能である引き出し（４２）であって、要素（１２）を受けるための少なくとも１つの位置（５８）を画定する底部（５６）を備える、引き出し（４２）と、
各位置（５８）ごとの、電波を発することが可能な少なくとも１つの第２の無線通信ユニット（４４）であって、各第２の通信ユニット（４４）は、対応する位置（５８）の対向側に配置され、第１の通信ユニット（１４）のセットと通信を行うのに適したものであり、放射帯場を有する少なくとも１つのアンテナを備え、各アンテナの前記放射帯場は、少なくとも、
前記アンテナの前記第２の通信ユニット（４４）の対向側の前記位置（５８）、および、
前記アンテナの前記第２の通信ユニット（４４）の対向側の前記位置（５８）に隣接する少なくとも１つの位置（５８）
を対応範囲に含み、各アンテナは、前記アンテナが作動される第１の状態および前記アンテナが作動停止される第２の状態をさらに備える、第２の無線通信ユニット（４４）と、
各第２の通信ユニット（４４）に対して接続されたデータ処理ユニット（３３）であって、前記アンテナの前記第２の通信ユニット（４４）の対向側の前記位置（５８）が要素（１２）により占有されているか否かを判定するために、制御法則にしたがって各第２の通信ユニット（４４）の前記アンテナの作動および作動停止を命ずることが可能である、データ処理ユニット（３３）と、
を備える、デバイス。
【請求項２】
位置（５８）に対応する各第２の通信ユニット（４４）ごとに、前記制御法則は、各第２の通信ユニット（４４）の前記アンテナが前記アンテナに隣接するアンテナの時間間隔とは異なる時間間隔で作動されるように、前記第２の通信ユニット（４４）の前記アンテナの作動と前記アンテナに隣接するアンテナの作動停止とを並行的に命ずるように選択される、請求項１に記載のデバイス（２２）。
【請求項３】
前記データ処理ユニット（３３）は、アンテナのセットにより通信された情報に基づき、各アンテナにより収集された情報に対応する位置（５８）を判定することが可能である、請求項２に記載のデバイス（２２）。
【請求項４】
各引き出し（４２）の前記底部（５６）は、前記第２の通信ユニット（４４）により発せられる電波が横断し得る材料から作製される、請求項１から３のいずれか一項に記載のデバイス（２２）。
【請求項５】
各第２の通信ユニット（４４）は、前記対応する位置（５８）の上方に配置される、請求項１から４のいずれか一項に記載のデバイス（２２）。
【請求項６】
各第２の通信ユニット（４４）は、前記対応する位置（５８）の前記引き出し（４２）の前記底部（５６）の下方に配置される、請求項１から４のいずれか一項に記載のデバイス（２２）。
【請求項７】
各引き出しユニット（３０）は、各引き出しユニット（３０）の前記引き出し（４２）の前記底部（５６）の下方、かつ前記引き出しユニット（３０）の前記引き出し（４２）の前記底部（５６）の前記位置（５８）に対応する前記第２の通信ユニット（４４）の下方に位置決めされたプレートを備え、各プレートは、すべての前記第２の通信ユニット（４４）により発せられた電波の通過を防止することが可能である、請求項６に記載のデバイス（２２）。
【請求項８】
各第１の通信ユニット（１４）は、無線ＩＣタグであり、各第２の通信ユニット（４４）は、無線ＩＣリーダである、請求項１から７のいずれか一項に記載のデバイス（２２）。
【請求項９】
内方コンパートメント（２４）を備える筐体（２０）と、
請求項１から８のいずれか一項に記載のデバイス（２２）であって、前記筐体（２０）の前記内方コンパートメント（２４）内に配置されるデバイス（２２）と、
を備える、設備（１０）。
【請求項１０】
前記要素（１２）は、血小板容器であり、前記筐体（２０）は、血小板攪拌機である、請求項９に記載の設備（１０）。
【国際調査報告】
2019536714.tif 000007
2019536714.tif 000008
2019536714.tif 000009
2019536714.tif 000010